(57)【要約】【課題】酸素ボンベを点滴台に搭載しても、酸素ボンベを適正に保持しつつ、点滴台が転倒することを防止する搭載治具を提供する。【解決手段】搭載治具１は、この搭載治具１を点滴台の支柱に固定し、点滴台に酸素ボンベ２を搭載した状態で、点滴台が、酸素ボンベ２が載置された方向に転倒しようとしても、搭載治具１の荷重受け部１６が、床上で点滴台及び酸素ボンベ２の荷重を受けることにより、点滴台がそれ以上傾くことを抑制し、その転倒を防止することができる。また、例えば、荷重受け部１６が床から離間し、点滴台の傾斜時に床に接触するものである場合、荷重受け部１６と床との摩擦による荷重受け部の損傷を防止することができる。【選択図】図１
2014068906.tif 000002
【特許請求の範囲】
【請求項１】
中心部から複数個の脚部が延び、この各脚部の先端にキャスタが設置されていると共に、前記脚部が集まる中心部から点滴装置を支持する支柱が立設された点滴台に、付随物を搭載するための搭載治具において、
前記脚部上に設置され前記付随物が載置される底部と、
前記底部の一縁部から立設された垂直部材と、
この垂直部材を前記支柱に固定する固定部材と、
前記垂直部材に、その長手方向の１又は複数箇所に設置され、前記付随物を拘束する１又は複数個の拘束部材と、
前記底部からその下方をとおって前記垂直部材の反対側まで延びるステイと、
このステイの先端に設置された荷重受け部と、
を有し、
前記荷重受け部は、前記複数個のキャスタのうち、隣接するキャスタの相互間を結ぶ線分よりも、前記支柱の反対側に位置するように、前記ステイに配置されていることを特徴とする搭載治具。
【請求項２】
前記ステイは、前記底部から、前記底部の中心をとおる直線状の部材であることを特徴とする請求項１に記載の搭載治具。
【請求項３】
中心部から複数個の脚部が延び、この各脚部の先端にキャスタが設置されていると共に、前記脚部が集まる中心部から点滴装置を支持する支柱が立設された点滴台に、付随物を搭載するための搭載治具において、
前記脚部上に設置され前記付随物が載置される底部と、
前記底部の一縁部から立設された垂直部材と、
この垂直部材を前記支柱に固定する固定部材と、
前記垂直部材に、その長手方向の１又は複数箇所に設置され、前記付随物を拘束する１又は複数個の拘束部材と、
前記底部から前記垂直部材に垂直の２方向に延びるステイと、
このステイの両端部に設置された２個の荷重受け部と、
を有し、
前記底部は、いずれか１個の脚部上に配置され、前記ステイは、この脚部を跨ぐように配置されることを特徴とする搭載治具。
【請求項４】
前記付随物は、酸素吸入用の酸素ボンベであることを特徴とする請求項１乃至３のいずれか１項に記載の搭載治具。
【請求項５】
前記荷重受け部は、常時は、床から離間しており、点滴台が傾斜したときに、床面に接触するものであることを特徴とする請求項１乃至４のいずれか１項に記載の搭載治具。
【請求項６】
前記荷重受け部は、床面に転動する転動輪であることを特徴とする請求項１乃至４のいずれか１項に記載の搭載治具。
【発明の詳細な説明】
【技術分野】
【０００１】
本発明は、点滴しながら患者の移動と共に移動することが可能な点滴台に、酸素ボンベ等の重量がある付随物を搭載するための点滴台への付随物の搭載治具に関する。
【背景技術】
【０００２】
点滴を投与されている患者が、それと同時に、酸素の吸入を常時必要とする場合、患者の近くに、点滴薬剤を貯留したバッグ又はボトルガスを保持する点滴台と、酸素ガスを封入した酸素ボンベを設置する。この酸素ボンベは、立てた状態で保管及び使用するものであるが、それ単体で、立位を維持させることは危険であるため、酸素ボンベを立て掛けるためのスタンド又は酸素ボンベを立位状態で保持するための装置が必要である。
【０００３】
従来、この酸素ボンベ及び点滴台を、個別に設置していたが、これらは、比較的大きいため、介護者が患者を介護する際、介護の妨げになったり、病院内における通行の邪魔になったりしていた。また、点滴投与及び酸素吸入を同時に行う必要がある患者が、病院内等を移動する際、患者につきそって、介護者が、点滴台及び酸素ボンベホルダを押して又は牽引して移動する必要がある。このため、介護者の負担が大きい。そこで、点滴台及び酸素ボンベホルダを個別に設置するのではなく、点滴台に酸素ボンベを搭載して、患者がこの点滴台を押して又は牽引して移動することにより、移動しながら点滴投与及び酸素吸入を行うことができるようにするための提案がなされている。
【０００４】
図８に示す従来の酸素ボンベ２を搭載する搭載治具１０１は、点滴台２１の支柱２２から延びる水平部材１０４ａの先端に、この搭載治具１０１を接続すると共に、この搭載治具１０１の拘束部材１０３ａが、点滴台２１の下端に設けられた脚部２５に当接され、脚部２５に支持されることにより、酸素ボンベ２を保持するものであるが、この場合、点滴台２１の重心が、酸素ボンベ２の載置された位置にあるため、点滴台２１が、この酸素ボンベ２の載置方向に転倒しやすくなる。
【０００５】
この点滴台２１の転倒を防止するため、特許文献１には、点滴スタンドに、酸素ボンベを搭載した多機能型点滴スタンドが開示されている。この特許文献１は、複数の車輪が設けられた円形の台の中心位置からずれた位置に、酸素ボンベの底面を保持する環状の部材を形成し、また円形の台の中心位置から延びる点滴スタンドの支柱に、酸素ボンベの側面を保持する固定バンドを設け、この環状部材及び固定バンドにより、酸素ボンベを、点滴スタンドに搭載するものである。そして、この特許文献１は、点滴スタンドの円形の台の下面に、両端部が円形の台の外周縁部に当接した複数の重鎮収納ボックスを設置しており、この複数の重鎮収納ボックスは、円形の台の中心で交差すると共に、円形の台の周方向に等間隔に離間して配設されている。この従来技術は、点滴スタンドに搭載された酸素ボンベが、点滴スタンドの中心位置からずれた位置に載置されていても、円形の台の下面に設けられた重鎮収納ボックス内のおもりにより、点滴スタンドの重心を低くして、酸素ボンベの自重による点滴スタンドの転倒を防止しようとするものである。
【０００６】
また、特許文献２には、特許文献１と同様に、酸素ボンベを点滴台に直接搭載した点滴酸素ボンベ両用カートが開示されている。特許文献２は、点滴台の支柱から水平方向に延びるアームを有し、このアームの先端に酸素ボンベを載置する酸素ボンベ受けを設けており、また点滴台はその下端に４個の車輪を有し、この４個の車輪により、点滴台は、酸素ボンベを搭載したまま自立する。また、この特許文献２は、点滴台の支柱に、アームの支柱に対し反対側に、患者の背部を支持する背受けが設けられており、またこの背受けの下方に位置する２個の車輪は、床に当接しない位置に跳ね上げられるように構成されている。この従来技術は、４個の車輪のうち、２個の車輪を跳ね上げ、跳ね上げた２個の車輪の代わりに、背受けに背部を支持された患者が、酸素ボンベが搭載された点滴台を支えることにより、患者の後方に配置された点滴台及び酸素ボンベを、患者の歩行に追従させようとするものである。
【先行技術文献】
【特許文献】
【０００７】
【特許文献１】特許第３４６６１８０号公報
【特許文献２】特開２００９−２８４７８号公報
【発明の概要】
【発明が解決しようとする課題】
【０００８】
しかしながら、特許文献１は、酸素ボンベを点滴スタンドに搭載させる位置が、点滴スタンドの中心に位置する支柱の存在により、点滴スタンドの中心位置からずれているため、点滴スタンドの重心が、酸素ボンベの載置部位に位置しており、そのバランスに偏りが生じる。従って、点滴スタンドは、酸素ボンベが搭載された方向に転倒しやすくなってしまっている。また、この従来技術は、点滴スタンドの転倒を防止するため、点滴スタンドの円形の台に複数のおもりを設けることにより、点滴スタンドの重心を低くしているが、このおもりがあることによって、点滴スタンド自体の重量が増加し、点滴スタンドを容易に移動させることが困難となる。
【０００９】
また、特許文献２も、特許文献１と同様に、酸素ボンベを載置する酸素ボンベ受けが、点滴台の支柱から水平方向に延びるアームの先端に取り付けられているため、酸素ボンベ受けに酸素ボンベを載せると、点滴台の重心位置が、酸素ボンベが搭載された位置となる。これにより、点滴台は、その重心位置方向に倒れる虞がある。また、酸素ボンベ受けは、支柱から延びるアームだけで支持しているため、点滴台の移動中に、酸素ボンベ受けが動いてしまい、酸素ボンベを適切に保持することができない。
【００１０】
本発明はかかる問題点に鑑みてなされたものであって、酸素ボンベを点滴台に搭載しても、酸素ボンベを適正に保持しつつ、点滴台が転倒することを防止できる搭載治具を提供することを目的とする。
【課題を解決するための手段】
【００１１】
本発明に係る搭載治具は、中心部から複数個の脚部が延び、この各脚部の先端にキャスタが設置されていると共に、前記脚部が集まる中心部から点滴装置を支持する支柱が立設された点滴台に、付随物を搭載するための搭載治具において、前記脚部上に設置され前記付随物が載置される底部と、前記底部の一縁部から立設された垂直部材と、この垂直部材を前記支柱に固定する固定部材と、前記垂直部材に、その長手方向の１又は複数箇所に設置され、前記付随物を拘束する１又は複数個の拘束部材と、前記底部からその下方をとおって前記垂直部材の反対側まで延びるステイと、このステイの先端に設置された荷重受け部と、を有し、前記荷重受け部は、前記複数個のキャスタのうち、隣接するキャスタの相互間を結ぶ線分よりも、前記支柱の反対側に位置するように、前記ステイに配置されていることを特徴とする。
【００１２】
前記ステイは、例えば、前記底部から、前記底部の中心をとおる直線状の部材であるように構成してもよい。
【００１３】
本発明に係る他の搭載治具は、中心部から複数個の脚部が延び、この各脚部の先端にキャスタが設置されていると共に、前記脚部が集まる中心部から点滴装置を支持する支柱が立設された点滴台に、付随物を搭載するための搭載治具において、前記脚部上に設置され前記付随物が載置される底部と、前記底部の一縁部から立設された垂直部材と、この垂直部材を前記支柱に固定する固定部材と、前記垂直部材に、その長手方向の１又は複数箇所に設置され、前記付随物を拘束する１又は複数個の拘束部材と、前記底部から前記垂直部材に垂直の２方向に延びるステイと、このステイの両端部に設置された２個の荷重受け部と、を有し、前記底部は、いずれか１個の脚部上に配置され、前記ステイは、この脚部を跨ぐように配置されることを特徴とする。
【００１４】
本発明においては、例えば、前記付随物は、酸素吸入用の酸素ボンベである。また、例えば、前記荷重受け部は、常時は、床から離間しており、点滴台が傾斜したときに、床面に接触するものであるように構成してもよい。また、例えば、前記荷重受け部は、床面に転動する転動輪であるように構成してもよい。
【発明の効果】
【００１５】
本発明に係る搭載治具は、この搭載治具を点滴台の支柱に固定し、点滴台に付随物を搭載した状態で、点滴台が、付随物が載置された方向に転倒しようとしても、搭載治具の荷重受け部が、床上で点滴台及び付随物の荷重を受けることにより、点滴台がそれ以上傾くことを抑制し、その転倒を防止することができる。また、本発明に係る他の搭載治具は、点滴台が、付随物が載置された方向に転倒しようとした場合、その付随物が載置されている底部が配置された脚部と、その先端に設けられたキャスタとが、付随物を搭載した点滴台の荷重を受けるため、点滴台が傾くことを抑制し、点滴台が倒れることを防ぐことができる。更に、点滴台が、上記脚部に垂直の方向に偏った方向に転倒しようとした場合、２個の荷重受け部のいずれかが、点滴台及び付随物の荷重を受けることにより、点滴台が傾くことを抑制し、点滴台の転倒を防止することができる。また、例えば、荷重受け部が床から離間し、点滴台の傾斜時に床に接触するものである場合、荷重受け部と床との摩擦による荷重受け部の損傷を防止することができ、また、その摩擦による点滴台の移動性の低下を解消することができる。更に、例えば、荷重受け部が、床で転動する転動輪である場合、荷重受け部と床との摩擦を低減させることができる。
【図面の簡単な説明】
【００１６】
【図１】本発明の第１実施形態に係る搭載治具を示す斜視図である。
【図２】本発明の第１実施形態に係る搭載治具に設けられた荷重受け部の位置を示す上面図である。
【図３】本発明の第１実施形態に係る搭載治具を、点滴台に取り付けた状態を示す斜視図である。
【図４】本発明の第１実施形態に係る搭載治具を取り付けた点滴台が、床に立っている状態を示す側面図である。
【図５】本発明の第１実施形態に係る搭載治具を取り付けた点滴台が、床に対し傾いた状態を示す側面図である。
【図６】本発明の第２実施形態に係る搭載治具を、点滴台に取り付けた状態を示す斜視図である。
【図７】本発明の第３実施形態に係る搭載治具を示す斜視図である。
【図８】従来の搭載治具を点滴台に取り付け、その点滴台が転倒しようとする状態を示す側面図である。
【発明を実施するための形態】
【００１７】
以下、本発明の実施の形態について、添付の図面を参照して具体的に説明する。図１は、本発明の第１実施形態に係る搭載治具を示す斜視図であり、図２は、搭載治具に設けられた荷重受け部の位置を示す上面図である。図１に示すように、搭載治具１には、付随物が載置される底部１１が設けられている。この付随物は、例えば、酸素吸入用の酸素ボンベ２である。そして、この底部１１は、例えば、環状部材１１ａと、この環状部材１１ａの下面に配置され、環状部材１１ａの直径よりも長く、環状部材１１ａの中心を通る長片状の板材１１ｂと、この板材１１ｂの一端部に設けられ、環状部材１１ａの内周面に接触する突出部１１ｃと、板材１１ｂの他端部に設けられ、点滴台の脚部の基端部に当接する当接部１１ｄとで構成される。環状部材１１ａは、酸素ボンベ２の底面の縁部を支え、酸素ボンベ２が搭載治具１から落下することを防止するものであり、板材１１ｂは、その上面に酸素ボンベ２の底面が接触するものである。また、突出部１１ｃは、環状部材１１ａに、例えば溶接して固定される部分であり、これにより、環状部材１１ａと板材１１ｂを固定する。そして、当接部１１ｄは、点滴台に設けられた複数の脚部の基端部に当接することにより、搭載治具１を点滴台の脚部上に安定して設置するものである。
【００１８】
また、この底部１１には、その一縁部から垂直部材１２が立設されている。そして、この垂直部材１２には、固定部材１４が設けられており、この固定部材１４により、垂直部材１２を点滴台の支柱に固定する。この固定部材１４は、例えば、垂直部材１２と固定部材１４とを接続する接続金具１４ａと、この接続金具１４ａを介して、点滴台の支柱に嵌合する嵌合部１４ｂと、固定部材用ノブボルト１４ｃとで構成される。この固定部材用ノブボルト１４ｃは、嵌合部１４ｂに設けられた孔に、そのボルト部が挿通されており、嵌合部１４ｂが点滴台の支柱に嵌合した状態で、固定部材用ノブボルト１４ｃを締めることにより、嵌合部１４ｂの幅が縮まり、点滴台の支柱との嵌合状態を、強固にすることができる。
【００１９】
そして、垂直部材１２には、その長手方向に、例えば２個の拘束部材１３ａ，１３ｂが設けられており、この拘束部材１３ａ，１３ｂは、酸素ボンベ２を拘束するものである。この拘束部材１３ａ，１３ｂは、例えば、環状の部材であり、拘束部材１３ａは、垂直部材１２の長手方向の中央に設けられ、拘束部材１３ｂは、垂直部材１２の長手方向の上端部に設けられている。この拘束部材１３ａ及び１３ｂの直径は、底部１１の環状部材１１ａの直径と同じものである。そして、その直径は、酸素ボンベ２の直径よりも大きいものであり、この底部１１及び拘束部材１３ａ，１３ｂにより形成される酸素ボンベスペース２ａに、酸素ボンベ２が設置される。
【００２０】
また、拘束部材１３ａ及び１３ｂには、例えば、拘束部材用ノブボルト１７ａ及び１７ｂが取り付けられている。拘束部材１３ａ及び１３ｂの直径は、酸素ボンベ２の直径よりも、広いため、搭載治具１に酸素ボンベ２を載置すると、酸素ボンベ２と拘束部材１３ａ，１３ｂとの間には、スペースが空く。このスペースにより、酸素ボンベ２が、拘束部材１３ａ及び１３ｂの内部でがたつく。そこで、酸素ボンベ２を拘束部材１３ａ及び１３ｂに差し込んだ後、拘束部材用ノブボルト１７ａ及び１７ｂを締めることにより、拘束部材１３ａ及び１３ｂの内径が縮径され、酸素ボンベ２と拘束部材１３ａ及び１３ｂとの間隔が狭くなり、酸素ボンベ２のがたつきを防止することができる。なお、本実施形態では、拘束部材用ノブボルトは、２個の拘束部材に、夫々取り付けられているが、いずれか１個の拘束部材に取り付けられてもよい。この場合においても、拘束部材用ノブボルトを締めることにより、酸素ボンベと拘束部材との間隔が狭くなり、酸素ボンベのがたつきを防止することができる。
【００２１】
また、搭載治具１には、底部１１から下方をとおって垂直部材１２の反対側まで延びるステイ１５が設けられている。このステイ１５は、例えば、断面Ｌ字のＬ型部材であり、その基端部が底部１１の板材１１ｂの下面に固定されている。このステイ１５は、板材１１ｂの垂直部材１２が立設された位置の近傍から、下方に延びる垂直部１５ａと、この垂直部１５ｂから垂直部材１２の反対側まで延びる水平部１５ｂとで構成される。このステイ１５は、例えば、底部１１の中心をとおる直線状の部材である。底部１１の板材１１ｂは、底部１１の中心をとおっているため、この場合、水平部１５ｂは、板材１１ｂに平行で且つ下方に位置する。そして、このステイ１５の先端部、即ち、水平部１５ｂの端部には、荷重受け部１６が設けられている。
【００２２】
次に、点滴台について説明する。図２に示すように、点滴台２１は、例えば、その中心部から放射状で且つ周方向に等間隔で、５個の脚部２５ａ，２５ｂ，２５ｃ，２５ｄ，２５ｅが延びており、各脚部の長手方向の長さは、同じである。この各脚部２５の先端にキャスタ２４ａ，２４ｂ，２４ｃ，２４ｄ，２４ｅが設置されている。そして、脚部２５が集まる中心部から点滴装置を支持する支柱２２が立設されている。また、脚部２５の下面には、この支柱２２を中心軸として、周方向に延びる輪状部材２６が設けられている。この輪状部材２６は、輪状部材２６と各脚部２５との間に、上面視において、開口部２７が形成されるように、設けられている。
【００２３】
そして、搭載治具１の底部１１の環状部材１１ａは、点滴台の脚部２５上に設置され、例えば、脚部２５ａから脚部２５ｂにかけてその上に設置される。その際、底部１１の板材１１ｂは、その長手方向が、脚部２５ａ及び２５ｂの先端に設けられたキャスタ２４ａと２４ｂとを結ぶ線分３１の中心を通り且つその線分に垂直な方向になるように設けられている。そして、ステイ１５は、その垂直部１５ａが点滴台２１の開口部２７を通って、この垂直部１５ａから屈曲した水平部１５ｂが、輪状部材２６の下方をくぐる。そして、水平部１５ｂは、底部１１の板材１１ｂの長手方向に、線分３１を超える位置まで延びており、この先端に荷重受け部１６が設けられている。このように、荷重受け部１６は、５個のキャスタ２４のうち、隣接するキャスタ２４ａ，２４ｂの相互間を結ぶ線分３１よりも、点滴台２１の支柱２２の反対側に位置するように、ステイ１５に配置されている。この荷重受け部１６は、例えば、球体である。これにより、点滴台１が移動しているときに、その移動経路に段差があっても、荷重受け部１６が段差に当たって係止されることなく、それを乗り越えやすくなる。また、荷重受け部１６が球体である場合、角部がないため、この荷重受け部１６が人に接触しても、その人が怪我をすることを防止することができる。更に、この荷重受け部１６は、外力を受けた際、たわむように構成してもよい。これにより、人の怪我を防止する効果を高めることができる。
【００２４】
次に、本発明の第１実施形態に係る搭載治具１の動作を説明する。図３は、搭載治具１を、点滴台に取り付けた状態を示す斜視図であり、図４は、搭載治具１を取り付けた点滴台が、床に立っている状態を示す側面図であり、図５は、搭載治具１を取り付けた点滴台が、床に対し傾いた状態を示す側面図である。図３に示すように、搭載治具１は、点滴台２１の脚部２５ａから脚部２５ｂにかけて、それらの上部に配置され、搭載治具１の底部１１の当接部１１ｄが、脚部２５ａ及び２５ｂの基端部に当接している。そして、起立部１２に設けられた固定部材１４の嵌合部１４ｂが、点滴台２１の支柱２２に嵌合し、これにより、支柱２２に搭載治具１が取り付けられている。また、底部１１の下面に取り付けられたステイ１５は、そのステイ１５の垂直部１５ａが、点滴台２１の開口部２７に挿通され、この垂直部１５ａから屈曲した水平部１５ｂが、輪状部材２６の下方を通過し、隣接するキャスタ２４ａ及び２４ｂの相互間を結ぶ線分を超える位置まで延びる。そして、この水平部１５ｂの端部には、荷重受け部１６が設けられている。なお、この搭載治具１は、酸素ボンベ２を、拘束部材１３ａ，１３ｂに差し込み、その底面を底部１１に当接させることにより、酸素ボンベ２が載置される。これにより、酸素ボンベ２を、搭載治具１によって、点滴台２１に搭載することができる。
【００２５】
このように、酸素ボンベ２を搭載した搭載治具１を、点滴台２１に取り付けた状態で、図４に示すように、この点滴台２１を床３に立たせる。側面視において、キャスタ２４ｂは、搭載治具１の下方に位置しており、このキャスタ２４ｂに隣接するキャスタ２４ｃの上方には、搭載治具１は存在しない。また、本実施形態においては、例えば、荷重受け部１６は、常時は、床３から離間しており、点滴台２１が傾斜したときに、床３に接触するものである。なお、点滴台２１の重心位置は、点滴台２１の中心位置に存する支柱２２の位置ではなく、酸素ボンベ２が搭載された位置にある。即ち、点滴台２１の重心位置は、その中心位置から、搭載治具１が取り付けられた方向にずれている。
【００２６】
そして、図５に示すように、点滴台２１が、重心位置方向に傾き始めると、搭載治具１の下方にあるキャスタ２４ｂは床３に接したままであるが、キャスタ２４ｃは床３から離れ始める。この状態から、点滴台２１の床３に対する傾きが更に大きくなり、点滴台２１が転倒しようとすると、搭載治具１の荷重受け部１６が床３に接触する。この荷重受け部１６が床３に接触することにより、点滴台２１の床３に対する傾きが大きくなることを規制して、点滴台２１が転倒することを防止することができる。このとき、荷重受け部１６が、キャスタ２４ｂと、それに隣接するキャスタ２４ａ（図示せず）とを結ぶ線分（図示せず）に対し、点滴台２１の支柱２２の反対側に設けられているため、荷重受け部１６は、キャスタ２４ｂに対し、キャスタ２４ｃの反対側に設けられていることになる。この状態で、点滴台２１が、キャスタ２４ｂを軸として、キャスタ２４ｃが床３から離れる方向に回転すると、このキャスタ２４ｂに対し、キャスタ２４ｃの反対側に位置する荷重受け部１６は、床３に近づく方向に回転していき、直ちに床３に接触する。これにより、前述の如く、点滴台２１が回転する回転角度を規制して、点滴台２１が倒れることを防ぐことができる。
【００２７】
また、本実施形態において、搭載治具１に荷重受け部１６を設けることにより、点滴台２１の脚部２５を大きくすることなく、その転倒を防止することができるので、点滴台２１を小型化することができると共に、脚部２５が人の足に当たって、人が怪我をすることを防止することができる。なお、この荷重受け部１６が、隣接するキャスタの相互間を結ぶ線分よりも支柱２２の側に設けられている場合、荷重受け部１６は、キャスタ２４ｂ及びキャスタ２４ｃの間に存在することになる。この状態で、キャスタ２４ｂを軸として、点滴台２１が、キャスタ２４ｃが床３から離間する方向に回転すると、荷重受け部１６は、キャスタ２４ｂを軸として、床３から離れる方向に回転する。このように、荷重受け部１６は、床３に接触することがないため、点滴台２１の回転を妨げることはできず、結果として点滴台２１は転倒してしまう。従って、本実施形態では、荷重受け部１６は、隣接するキャスタの相互間を結ぶ線分よりも支柱２２の反対側に位置するように、設けられている。
【００２８】
床に垂直の方向に対する点滴台の傾き角度が、一定値を超えると、点滴台は、床に垂直の方向に戻ることなく、転倒する。この角度を転倒開始角度とする。点滴台単体、即ち、無負荷状態の点滴台の転倒開始角度は、約２０度であった。また、この点滴台に、従来の搭載治具を用いて、点滴台の中心位置（支柱）からずれた位置に酸素ボンベを搭載したとき、転倒開始角度は、約１５度であった。これは、点滴台に酸素ボンベを載置したことにより、点滴台の重心位置が、点滴台の中心位置である支柱の位置ではなく、酸素ボンベ搭載位置となったため、点滴台がその重心位置方向に傾きやすくなり、またその方向に一旦傾くと、その傾き角度が小さくても、容易に転倒してしまうようになったためである。
【００２９】
これに対し、搭載治具１を利用して酸素ボンベを搭載した点滴台が、転倒を開始する角度（転倒開始角度）は約３０度であった。搭載治具１は、点滴台が傾き始めると、荷重受け部１６が床に接触することにより、点滴台の傾きを規制して、転倒開始角度を高角度化させたものである。このように、搭載治具１により酸素ボンベを載置した点滴台の転倒開始角度（３０度）は、無負荷の点滴台の転倒開始角度（２０度）及び従来の搭載治具を利用して酸素ボンベを搭載した点滴台の転倒開始角度（１５度）よりも高く、その転倒防止性の向上が確認された。
【００３０】
次に、本発明の第２実施形態について、添付の図面を参照して具体的に説明する。図６は、本発明の第２実施形態に係る搭載治具を、点滴台に取り付けた状態を示す斜視図である。図６に示すように、搭載治具１ｂは、底部１１、垂直部材１２、固定部材１４及び拘束部材１３ａ，１３ｂが、第１実施形態に係る搭載治具１の構成と同じである。そして、搭載治具１ｂには、底部１１から垂直部材１２に垂直の２方向に延びるステイ１８が設けられている。また、このステイ１８の両端部には２個の荷重受け部１９ａ，１９ｂが設けられている。
【００３１】
このステイ１８は、長片状の水平部１８ａと、この水平部１８ａの両端部に設けられた第１垂直部１８ｂ及び第２垂直部１８ｃとで構成される。そして、ステイ１８の水平部１８ａの上面が、底部１１の下面に固定されている。また、第１垂直部１８ｂ及び第２垂直部１８ｃは、水平部１８ａから下方に向かって延びている。そして、この第１垂直部１８ｂの先端には、荷重受け部１９ａが設けられ、これと同様に、第２垂直部１８ｃの先端には、荷重受け部１９ｂが設けられている。本実施形態では、この荷重受け部１９ａ及び１９ｂを転動輪としているが、この荷重受け部１９ａ及び１９ｂは、球体であってもよい。そして、搭載治具１ｂの底部１１は、点滴台２１に設けられた複数の脚部のうち、いずれか１個の脚部２５ａ上に配置されており、この底部１１の下面に固定されたステイ１８は、この脚部を跨ぐように配置されている。
【００３２】
次に、本発明の第２実施形態に係る搭載治具１ｂの動作を説明する。図６に示すように、搭載治具１ｂは、点滴台２１の４個の脚部のうち、脚部２５ａ上に配置されており、垂直部材１２に設けられた固定部材１４により、点滴台２１の支柱２２に取り付けられている。このように、ステイ１８は、点滴台２１の脚部２５ａを跨ぐように配置される。このとき、例えば、脚部２５ａの上方には、脚部２５ａの長手方向に垂直の方向と、ステイ１８の水平部１８ａの長手方向とが一致するように、ステイ１８が配置される。そして、このステイ１８の両端部に設けられた荷重受け部１９ａ及び１９ｂが、床に接触している。なお、本実施形態においては、点滴台２１の脚部２５は、４個（２５ａ，２５ｂ，２５ｃ，２５ｄ）であり、それらの下部に設置されたキャスタ２４も４個（２４ａ，２４ｂ，２４ｃ，２４ｄ）であるが、これらは夫々３個でもよく、また夫々５個以上でもよい。
【００３３】
このように、点滴台２１に搭載治具１ｂを取り付けた後、搭載治具１ｂに、酸素ボンベ２を搭載すると、点滴台２１の重心位置は、その中心位置に存する支柱２２の位置ではなく、酸素ボンベ２が搭載された位置となる。この酸素ボンベ２を載置する底部１１は、脚部２４ａ上に配置されているため、重心位置の方向は、即ち、脚部２４ａの長手方向である。点滴台２１が、重心位置方向、即ち、脚部２４ａの長手方向に転倒を開始しようとしても、底部１１が配置された脚部２５ａ及び脚部２５ａの先端に設けられたキャスタ２４ａが、点滴台２１及び酸素ボンベ２の荷重を受けるため、点滴台２１が傾くことを抑制し、点滴台２１が倒れることを防ぐことができる。また、点滴台２１が、脚部２５ａの長手方向ではなく、脚部２５ａの長手方向に垂直の方向に偏った方向に倒れようとしても、搭載治具１ｂの荷重受け部１９ａ及び１９ｂのいずれかが、酸素ボンベ２を搭載した点滴台２１の荷重を受けるため、点滴台２１がそれ以上傾くことを阻止し、その結果、点滴台２１の転倒を防止することができる。また、本実施形態では、荷重受け部１９ａ及び１９ｂは転動輪であるので、点滴台２１が移動する際、この荷重受け部１９ａ及び１９ｂと床面との摩擦を低減するため、荷重受け部１９ａ及び１９ｂの損傷を防止することができる。また、荷重受け部１９ａ及び１９ｂと床面との摩擦による点滴台の移動性の低下を抑制することができる。
【００３４】
次に、本発明の第３実施形態に係る搭載治具について、添付の図面を参照して具体的に説明する。図７は、本発明の第３実施形態に係る搭載治具を示す斜視図である。図７に示すように、搭載治具１ａは、荷重受け部１６ａが床面に転動する転動輪である。荷重受け部１６ａ以外の構成は、第１実施形態に係る搭載治具１と同様である。そして、本実施形態においては、第１実施形態に係る搭載治具１と同様に、搭載治具１ａを点滴台２１に取り付け、点滴台２１に取り付けられた搭載治具１を利用して点滴台２１に酸素ボンベ２を搭載する。そして、点滴台２１に設けられた開口部２７に、ステイ１５が挿通され、このステイ１５の先端に設けられた荷重受け部１６ａが、床に接触している。これにより、点滴台２１が酸素ボンベ２を搭載する方向に転倒しようとしても、この荷重受け部１６ａが床に接触しているので、点滴台２１の転倒を防止することができる。また、荷重受け部１６ａが床面を転動しても、床面との摩擦が少ないため、荷重受け部１６ａが損傷することを防ぐことができる。なお、第１実施形態乃至第３実施形態において、搭載治具により点滴台に搭載される付随物を、酸素ボンベとしたが、この付随物は、酸素ボンベ以外のものであってもよい。
【符号の説明】
【００３５】
１，１ａ，１ｂ：搭載治具、２：酸素ボンベ、２ａ：酸素ボンベスペース、３：床、１１：底部、１１ａ：環状部材、１１ｂ：板材、１１ｃ：突出部、１１ｄ：当接部、１２：垂直部材、１３，１３ａ，１３ｂ：拘束部材、１４：固定部、１４ａ：接続金具、１４ｂ：嵌合部、１４ｃ：固定部用ノブボルト、１５：ステイ、１５ａ：垂直部、１５ｂ：水平部、１６，１６ａ：荷重受け部、１７，１７ａ，１７ｂ：拘束部材用ノブボルト、１８：ステイ、１８ａ：水平部、１８ｂ：第１垂直部、１８ｃ：第２垂直部、１９ａ，１９ｂ：荷重受け部、２１：点滴台、２２：支柱、２４，２４ａ，２４ｂ，２４ｃ，２４ｄ，２４ｅ，２４ｆ，２４ｇ：キャスタ、２５，２５ａ，２５ｂ，２５ｃ，２５ｄ，２５ｅ：脚部、２６：輪状部材、２７：開口部、２８ａ，２８ｂ：位置、１０１：治具、１０２：垂直部材、１０３ａ，１０３ｂ，１０３ｃ：拘束部材、１０４：固定部材、１０４ａ：水平部材
【図１】
2014068906.tif 000003
【図２】
2014068906.tif 000004
【図３】
2014068906.tif 000005
【図４】
2014068906.tif 000006
【図５】
2014068906.tif 000007
【図６】
2014068906.tif 000008
【図７】
2014068906.tif 000009
【図８】
2014068906.tif 000010